(57)【要約】【課題】着用者が要望に応じて調整できる機能を具備するマスクを提供する。【解決手段】着用者の顔面の対象部位を覆うマスク本体部１と、マスク本体部１を前記着用者の耳に係止するための右耳掛け部２及び左耳掛け部３と、を備えるマスク１００であって、マスク本体部１は、外面側不織布１１１と、フィルター１１２と、着用者側不織布１１３と、を備え、着用者側不織布１１３には、着用者の肌に向く面に、所定の性質が付与されたシート片１１４…が取り付けられ、シート片１１４…は、外面側不織布１１１によって覆われている。【選択図】図４
2019060058.tif 000002
【特許請求の範囲】
【請求項１】
着用者の顔面の対象部位を覆うマスク本体部と、当該マスク本体部を前記着用者の耳に係止するための左右一対の耳掛け部と、を備えるマスクであって、
前記マスク本体部は、一又は複数のシート材を備え、
前記シート材のうち最も着用者の肌に近い着用者側シート材には、着用者の肌に向く面に、所定の性質が付与されたシート片が取り付けられ、
前記シート片は、前記シート材によって覆われていることを特徴とするマスク。
【請求項２】
前記シート材の前記シート片を覆う部分には、破断部が設けられていることを特徴とする請求項１に記載のマスク。
【請求項３】
前記シート片は、前記シート片を覆う前記シート材と比較して、摩擦係数の平均偏差が小さいことを特徴とする請求項１又は２に記載のマスク。
【請求項４】
前記シート片は、摩擦係数の平均偏差がＭＤ方向において０．１以下であることを特徴とする請求項３に記載のマスク。
【請求項５】
前記シート片は保湿剤を有することを特徴とする請求項１又は２に記載のマスク。
【請求項６】
前記シート片は滑り止め材を有することを特徴とする請求項１又は２に記載のマスク。
【請求項７】
前記シート片は、前記着用者側シート材の上部及び下部に取り付けられていることを特徴とする請求項１から６のいずれか一項に記載のマスク。
【請求項８】
前記シート片は、前記着用者側シート材の右部及び左部に取り付けられていることを特徴とする請求項１から７のいずれか一項に記載のマスク。
【請求項９】
前記シート材の前記シート片を覆う部分には、前記シート片と異なる所定の性質が付与されていることを特徴とする請求項１から８のいずれか一項に記載のマスク。
【発明の詳細な説明】
【技術分野】
【０００１】
本発明は、着用者の顔面の鼻、口等を覆うマスクに関する。
【背景技術】
【０００２】
疾病時、花粉及び黄砂等の粉塵飛来時並びにその他の日常生活において使用されるマスクは、着用者の肌に接することとなる内面側のシート材の性質によって、マスクの着け心地が左右される。
そこで、マスクの内面側のシート材として、その他のシート材と異なる所定の性質を付与したシート材を使用することで、着け心地を改善することを意図したマスクが知られている。例えば、特許文献１に記載のマスクは、内面側のシート材として、所定の摩擦係数及び剛軟度の不織布を使用することで肌触りを改善することを意図しており、特許文献２に記載のマスクは、内面側のシート材にアルコールを塗布することで肌触りを改善することを意図している。
【先行技術文献】
【特許文献】
【０００３】
【特許文献１】特開２０１４−１０６号公報
【特許文献２】特開２０１７−１４６４７号公報
【発明の概要】
【発明が解決しようとする課題】
【０００４】
マスクの着け心地に対する要望は、着用者の好みや肌の状態等によって様々であり、内面側のシート材によって、マスクにいかなる機能が付与されていることが好ましいかを一律に定めることはできない。
しかしながら、上記特許文献に記載のマスクにおいては、内面側のシート材には一律の性質が付与されており、これを着用者の要望に応じて調整できるようにすることは予定されていない。したがって、着用者の多様な要望に対応することは困難であった。
【０００５】
本発明は、着用者が要望に応じて調整できる機能を具備するマスクを提供することを目的とする。
【課題を解決するための手段】
【０００６】
上記課題を解決するために、請求項１に記載の発明は、
着用者の顔面の対象部位を覆うマスク本体部と、当該マスク本体部を前記着用者の耳に係止するための左右一対の耳掛け部と、を備えるマスクであって、
前記マスク本体部は、一又は複数のシート材を備え、
前記シート材のうち最も着用者の肌に近い着用者側シート材には、着用者の肌に向く面に、所定の性質が付与されたシート片が取り付けられ、
前記シート片は、前記シート材によって覆われていることを特徴とする。
本発明によれば、着用者が要望に応じて調整できる機能を具備するマスクを提供することができる。
【０００７】
請求項２に記載の発明は、請求項１に記載のマスクにおいて、
前記シート材の前記シート片を覆う部分には、破断部が設けられていることを特徴とする。
本発明によれば、シート片を覆うシート材を剥がし易くすることができる。
【０００８】
請求項３に記載の発明は、請求項１又は２に記載のマスクにおいて、
前記シート片は、前記シート片を覆う前記シート材と比較して、摩擦係数の平均偏差が小さいことを特徴とする。
本発明によれば、着用者が肌触りの滑らかさを調整することができる。
【０００９】
請求項４に記載の発明は、請求項３に記載のマスクにおいて、
前記シート片は、摩擦係数の平均偏差がＭＤ方向において０．１以下であることを特徴とする。
本発明によれば、着用者が肌触りの滑らかさを調整することができる。
【００１０】
請求項５に記載の発明は、請求項１又は２に記載のマスクにおいて、
前記シート片は保湿剤を有することを特徴とする。
本発明によれば、着用者が保湿効果を調整することができる。
【００１１】
請求項６に記載の発明は、請求項１又は２に記載のマスクにおいて、
前記シート片は滑り止め材を有することを特徴とする。
本発明によれば、着用者がずれ難さを調整することができる。
【００１２】
請求項７に記載の発明は、請求項１から６のいずれか一項に記載のマスクにおいて、
前記シート片は、前記着用者側シート材の上部及び下部に取り付けられていることを特徴とする。
本発明によれば、シート片の性質に応じて付与される機能を高めることができる。
【００１３】
請求項８に記載の発明は、請求項１から７のいずれか一項に記載のマスクにおいて、
前記シート片は、前記着用者側シート材の右部及び左部に取り付けられていることを特徴とする。
本発明によれば、シート片の性質に応じて付与される機能を高めることができる。
【００１４】
請求項９に記載の発明は、請求項１から８のいずれか一項に記載のマスクにおいて、
前記シート材の前記シート片を覆う部分には、前記シート片と異なる所定の性質が付与されていることを特徴とする。
本発明によれば、複数の機能を着用者が調整しつつ発揮させることができる。
【発明の効果】
【００１５】
本発明によれば、着用者が要望に応じて調整できる機能を具備するマスクを提供することができる。
【図面の簡単な説明】
【００１６】
【図１】実施形態に係るマスクを示す斜視図である。
【図２】実施形態に係るマスクを示す正面図である。なお、シート片１１４…は視認できないが、説明のため破線で記載している。
【図３】図２のIII-III部における断面図である。
【図４】実施形態に係るマスクを示す背面図である。なお、シート片１１４…は視認できないが、説明のため破線で記載している。
【図５】耳ゴムの編み方を示す図である。
【図６】ゴム紐を繊維状部材で巻いた場合を示す図である。
【図７】変形例１に係るマスクを示す背面図である。なお、シート片１１４…は視認できないが、説明のため破線で記載している。
【発明を実施するための形態】
【００１７】
以下、本発明の実施形態であるマスク１００の具体的な態様について、図１から図７に基づいて説明する。ただし、本発明の技術的範囲は図示例に限定されるものではなく、あくまで特許請求の範囲の記載を基に判断される。
なお、以下においては、図１に示すように、マスクの着用者を基準として、前後、左右及び上下を定めて説明する。
【００１８】
［構成の説明］
｛全体構成｝
マスク１００は、図１に示すように、着用者の顔面の鼻、口、顎等を覆うマスク本体部１と、マスク本体部１を着用者の右耳に係止するための右耳掛け部２と、マスク本体部１を着用者の左耳に係止するための左耳掛け部３と、を備えている。なお、マスク１００は、マスク本体部１の後面側を着用者の顔面に向けて着用される。
【００１９】
｛マスク本体部｝
マスク本体部１は、図３に示すように、複数のシート材によって形成されたシート部１１と、シート部１１の上端部付近に取り付けられた鼻部補強部材１２と、シート部１１の上下方向中央部付近に取り付けられた口部補強部材１３と、を備える。
【００２０】
（シート部）
シート部１１は、図２に示すように正面視略矩形状に形成されたシート状の部材であり、複数のシート材を積層して形成されている。
シート部１１は、左右方向１２０ｍｍから２１０ｍｍ、好ましくは１４５ｍｍから１７５ｍｍ、上下方向７０ｍｍから１００ｍｍ、好ましくは８０ｍｍから９０ｍｍに形成される。
【００２１】
シート部１１は、図３に示すように、肌から遠い面から順に、シート部１１の肌から最も遠い面に位置する外面側不織布１１１、フィルター１１２、シート部１１の肌から最も近い面に位置する着用者側不織布１１３の順にシート材を積層して形成されている。
具体的なシート材としては、例えば不織布として、ポリプロピレンスパンボンド、ポリエチレンスパンボンド、ナイロンスパンボンド等が用いられ、フィルターとして、ポリプロピレンメルトブロー、レーヨンスパンボンド等が用いられる。
最も好適には、外面側不織布１１１としてポリプロピレンスパンボンドが用いられ、着用者側不織布１１３としてナイロンスパンボンドが用いられ、これらの間に挟み込むフィルター１１２としてポリプロピレンメルトブローが用いられる。
【００２２】
（折り返し部）
外面側不織布１１１は、図３及び図４に示すように、フィルター１１２及び着用者側不織布１１３と比較して上下方向に大きい矩形状に形成された上で、上部及び下部のフィルター１１２及び着用者側不織布１１３に対して上下にはみ出す部分が後方へと折り返され、上部折り返し部１１１１及び下部折り返し部１１１２が形成されている。
上部折り返し部１１１１は、シート部１１の上端から、下方に7ｍｍから20ｍｍ、好ましくは10ｍｍから15ｍｍの幅を有するように形成される。
下部折り返し部１１１２は、シート部１１の下端から、上方に7ｍｍから20ｍｍ、好ましくは10ｍｍから15ｍｍの幅を有するように形成される。
【００２３】
（接続部）
シート部１１を形成する外面側不織布１１１、フィルター１１２及び着用者側不織布１１３は、図２及び図４に示すように、シート部１１の上下及び左右の端部付近において、熱・超音波等によって前後に溶着されており、上端部付近に上端部接続部１１ａが、下端部付近に下端部接続部１１ｂが、右端部付近に右端部接続部１１ｃが、左端部付近に左端部接続部１１ｄが形成されている。なお、図３及び図４に示すように、上端部接続部１１ａ、下端部接続部１１ｂ、並びに右端部接続部１１ｃ及び左端部接続部１１ｄの上部及び下部は、上部折り返し部１１１１又は下部折り返し部１１１２を含め、４層に亘って溶着されるようにして形成されている。
【００２４】
上部折り返し部１１１１の下端部付近においては、図２から図４に示すように、シート部１１の右端部から左端部に亘って、外面側不織布１１１、フィルター１１２及び着用者側不織布１１３が、上部折り返し部１１１１を含めて４層に亘って溶着され、上部折り返し部接続部１１ｇが形成されている。
下部折り返し部１１１２の上端部付近においては、図３及び図４に示すように、シート部１１の右端部から左端部に亘って、外面側不織布１１１、フィルター１１２及び着用者側不織布１１３が、下部折り返し部１１１２を含めて４層に亘って溶着され、下部折り返し部接続部１１ｈが形成されている。
【００２５】
シート部１１の上部には、後述の鼻部補強部材１２を取り付けるため、図１から図３に示すように、鼻部補強部材１２を囲むように外面側不織布１１１、フィルター１１２及び着用者側不織布１１３を、熱・超音波等によって溶着した鼻部補強部材周辺接続部１１ｅが形成されている。なお、鼻部補強部材周辺接続部１１ｅは、上部折り返し部１１１１と重なる位置に形成されているが、図３に示すように、上部折り返し部１１１１を含まずに溶着されている。
鼻部補強部材周辺接続部１１ｅは、正面視において鼻部補強部材１２の形状と略一致するように形成されていることが望ましいが、鼻部補強部材１２の周囲に若干の間隙が存在し、鼻部補強部材１２を動かすことが可能であってもよい。
【００２６】
シート部１１の上下方向中央部付近には、図３及び図４に示すように、後述の口部補強部材１３を取り付けるため、口部補強部材１３を囲むようにフィルター１１２及び着用者側不織布１１３を、熱・超音波等によって溶着した口部補強部材周辺接続部１１ｆが形成されている。
口部補強部材周辺接続部１１ｆは、正面視において口部補強部材１３の形状と略一致するように形成されていることが望ましいが、口部補強部材１３の周囲に若干の間隙が存在し、口部補強部材１３を動かすことが可能であってもよい。
【００２７】
なお、これらの接続部は、前後にシート材が接続されていればよく、必ずしも熱・超音波等による溶着によって形成されている必要はない。
また、図１から図４においてはこれらの接続部が実線状に形成された場合につき図示したが、これに限られず、接続部は例えば破線状に形成されていてもよい。
【００２８】
（破断部）
上部折り返し部１１１１には、図４に示すように、上端部接続部１１ａの下側、右端部接続部１１ｃの左側、左端部接続部１１ｄの右側、上部折り返し部接続部１１ｇの上側に、これらの接続部に沿ってミシン目が設けられ、上部破断部１１１１ａが形成されている。
また、下部折り返し部１１１２には、図４に示すように、下端部接続部１１ｂの上側、右端部接続部１１ｃの左側、左端部接続部１１ｄの右側、下部折り返し部接続部１１ｈの下側に、これらの接続部に沿ってミシン目が設けられ、下部破断部１１１２ａが形成されている。
【００２９】
（シート片）
着用者側不織布１１３の、上部折り返し部１１１１によって覆われた部分及び下部折り返し部１１１２によって覆われた部分には、図４に示すように、上部破断部１１１１ａ又は下部破断部１１１２ａと重なる位置に、小型の矩形状の不織布であるシート片１１４…が、上下４枚ずつ、計８枚取り付けられている。シート片１１４…は、シート部１１の上下において、それぞれ４枚ずつのシート片１１４…が、間隔をあけず又は僅かな間隔のみを開けて、左右方向に直線状に並ぶようにして配置されている。また、シート片１１４…は、熱・超音波等による溶着、所定の接着剤による接着等、任意の方法で着用者側不織布１１３に取り付けることができる。
【００３０】
シート片１１４…は、それぞれ上下方向に4ｍｍから15ｍｍ、好ましくは5ｍｍから10ｍｍの幅を有し、シート部１１の上下において左右方向に４枚ずつ並べられた際に、一番右のシート片１１４の右端から、一番左のシート片１１４の左端まで、左右方向110ｍｍから200ｍｍ、好ましくは135ｍｍから165ｍｍとなるように形成される。
【００３１】
なお、シート片１１４…の形状及び備えられる数はこれに限られず、上部折り返し部１１１１又は下部折り返し部１１１２によって覆われた部分内に備えることができる範囲で、任意に変更可能である。ただし、着用者側不織布１１３の上部折り返し部１１１１及び下部折り返し部１１１２によって覆われた部分内において、左右方向の広範囲に亘るように備えられていることが望ましい。
【００３２】
シート片１１４…としては、着用者側不織布１１３と異なる所定の性質を有する不織布が用いられる。このような所定の性質を付与するためには、不織布自体を異なるものとしてもよいし、同一の不織布を用いつつ、所定の薬液等を塗布することで、異なる性質が付与されていてもよい。
【００３３】
具体的には、例えば、シルク配合ポリプロピレンスパンボンド等の摩擦係数の平均偏差（ＭＭＤ）がＭＤ方向において０．１以下の滑らかな不織布、グリセリン等の多価アルコールやリン酸エステル等の保湿剤を塗布したポリプロピレンスパンボンド、ポリエチレンスパンボンド若しくはナイロンスパンボンド等の不織布、又はシリコンや接着剤等の滑り止め材を塗布したポリプロピレンスパンボンド、ポリエチレンスパンボンド若しくはナイロンスパンボンド等の不織布が用いられる。その他、所定の香料や、マイクロカプセル等を塗布してもよい。
なお、摩擦係数の平均偏差（ＭＭＤ）の値は、摩擦試験機としてカトーテック社製KES-SEを用い、不織布の上を測定端子が直線上に動いた際のものである。この点は下記の変形例においても全て同様である。摩擦係数の平均偏差（ＭＭＤ）がＭＤ方向において０．１以下であれば、これを露出させた際に、マスクの肌触りを滑らかなものとすることができる。
【００３４】
（プリーツ）
シート部１１は、図３に示すように上下方向に折り返されており、これによって、前面側に、図１から図３に示すように、上部プリーツ１１ｉと、下部プリーツ１１ｊ、１１ｊとが形成されている。マスク１００の着用時には、これらを上下方向に展開することによって、シート部１１が外側に膨出する山型の立体形状となって、着用者の顔面の鼻、口、顎等が覆われるようになっている。
【００３５】
上部プリーツ１１ｉは、図１から図３に示すように、シート部１１前面の上下方向中央部よりも上部に形成された、上方に凸となる折り目であり、上下方向に展開することができる。本実施形態においては、上部プリーツ１１ｉは、シート部１１の１か所に備えられている。
【００３６】
下部プリーツ１１ｊ、１１ｊは、図１から図３に示すように、シート部１１前面の上下方向中央部よりも下部に形成された、下方に凸となる折り目であり、上下方向に展開することができる。本実施形態においては、下部プリーツ１１ｊ，１１ｊは、シート部１１の２か所に備えられている。
【００３７】
上部プリーツ１１ｉ及び下部プリーツ１１ｊ，１１ｊは、シート部１１の上下方向中央部を含む、上部プリーツ１１ｉと下部プリーツ１１ｊ，１１ｊのうち上方に形成されたものとの間の部分の間隔が、最も広くなるように配置され、特に当該部分が、シート部１１の上下方向の幅の３分の１以上の幅を有するように配置されていることが望ましい。これによって、着用者の口元の空間を確保し易くなる。
【００３８】
また、上部プリーツ１１ｉ及び下部プリーツ１１ｊ，１１ｊは、これらの配置間隔が全て異なる間隔となるように配置されていることが望ましい。これによって、プリーツごとに配置間隔を変え、適切な位置に配置することが可能となる。
なお、プリーツの配置間隔には、上部プリーツ１１ｉとマスク上端縁との間隔及び下部プリーツ１１ｊ，１１ｊのうち下方に形成されたものとマスク下端縁との間隔を含むものとする。
【００３９】
（鼻部補強部材）
鼻部補強部材１２は、マスク本体部１の上部が着用者の鼻付近の形状に沿って、隙間が生じないようにするためのものであり、図３に示すように、シート部１１の上端縁に沿って備えられている。
鼻部補強部材１２は、左右方向に長い可塑性を有する部材であり、シート部１１の横幅よりも短く、左右方向に８０〜１３５ｍｍ、好ましくは９０ｍｍ〜１２０ｍｍの長さを有し、上下方向に幅３ｍｍ〜５ｍｍ、前後方向に厚み０．５ｍｍ〜１．０ｍｍとなるように形成されている。
【００４０】
鼻部補強部材１２の材料としては、可塑性を有する任意の材料を使用可能であるが、例えば、ポリプロピレン樹脂、ポリエチレン樹脂、ポリエチレンテレフタラート樹脂等が用いられ、最も好適には、ポリプロピレン樹脂が用いられる。
【００４１】
鼻部補強部材１２は、フィルター１１２と、着用者側不織布１１３との間に配置され、外面側不織布１１１、フィルター１１２及び着用者側不織布１１３を、鼻部補強部材１２の上下及び左右において熱・超音波等を用いて前後に溶着させることで、鼻部補強部材１２を囲むように形成された鼻部補強部材周辺接続部１１ｅによって、シート部１１に取り付けられている。
【００４２】
なお、鼻部補強部材１２は、マスク本体部１の上部に隙間が生じないようにすることが可能であれば、任意の配置及び取り付け方法によってシート部１１に取り付けることができる。
例えば、後述の口部補強部材１３と同様に、外面側不織布１１１は溶着されないようにして鼻部補強部材周辺接続部１１ｅを形成し、鼻部補強部材１２をシート部１１に取り付けてもよい。また、例えば、鼻部補強部材１２は、外面側不織布１１１と、フィルター１１２との間に配置されていてもよい。
【００４３】
（口部補強部材）
口部補強部材１３は、マスク本体部１の着用者の口元付近の形状を維持するためのものであり、図３に示すように、シート部１１の、上部プリーツ１１ｉと、下部プリーツ１１ｊ，１１ｊのうち上方に形成されたものとの間の位置の、シート部１１の上下方向中央部付近に取り付けられている。
なお、口部補強部材１３の取り付け位置としては、シート部１１の上下方向中央部から５ｍｍから１０ｍｍ程度下方にずれた位置に取り付けられていることが望ましいが、マスク本体部１の着用者の口元付近の形状を維持することができればよく、このような配置位置には限られない。
【００４４】
口部補強部材１３は、左右方向に長い可塑性を有する部材であり、シート部１１の横幅よりも僅かに短く、左右方向に１００〜１５０ｍｍ、好ましくは１１５ｍｍ〜１４５ｍｍの長さを有し、上下方向に幅３ｍｍ〜５ｍｍ、前後方向に厚み０．５ｍｍ〜１．０ｍｍとなるように形成されている。
【００４５】
口部補強部材１３の材料としては、可塑性を有する任意の材料を使用可能であるが、例えば、鼻部補強部材１２と同様、ポリプロピレン樹脂、ポリエチレン樹脂、ポリエチレンテレフタラート樹脂等が用いられ、最も好適には、ポリプロピレン樹脂が用いられる。
【００４６】
口部補強部材１３は、図３に示すように、フィルター１１２と、着用者側不織布１１３との間に配置され、フィルター１１２と着用者側不織布１１３とを、口部補強部材１３の上下及び左右において、熱・超音波等を用いて前後に溶着させることで、口部補強部材１３を囲むように形成された口部補強部材周辺接続部１１ｆによって、シート部１１に取り付けられている。
これによって、口部補強部材１３が、フィルター１１２と、着用者側不織布１１３とに対して固定され、フィルター１１２、着用者側不織布１１３及び口部補強部材１３が、着用者の口元付近において固定されるが、外面側不織布１１１については、シート部１１の四辺の端部付近以外においては、他の部材に固定されていないこととなる。
【００４７】
｛耳掛け部｝
右耳掛け部２及び左耳掛け部３は、いずれも耳ゴム２００をマスク本体部１に取り付けることによって形成されている。
具体的には、図１、図２及び図４に示すように、右耳掛け部２はマスク本体部１の右側において、耳ゴム２００の一方の端部をシート部１１の右端部の上部に熱・超音波等によって溶着させ、他方の端部をシート部１１の右端部の下部に熱・超音波等によって溶着させることによって形成されている。また左耳掛け部３はマスク本体部１の左側において、耳ゴム２００の一方の端部をシート部１１の左端部の上部に熱・超音波等によって溶着させ、他方の端部をシート部１１の左端部の下部に熱・超音波等によって溶着させることによって形成されている。
【００４８】
（耳ゴム）
耳ゴム２００は、図５に示すように複数のゴム紐２０１…によって形成された組２１１…を編み込むことによって形成されている。
【００４９】
（ゴム紐）
ゴム紐２０１…は、伸縮性の材料によって形成された細い紐状の部材である。ゴム紐２０１…の材料としては、例えば、天然ゴムの場合にはラテックス等が、合成ゴムの場合にはポリウレタン等が用いられる。なお、ゴム紐２０１…としては、全て同じ太さのものを用いてもよいし、異なる太さの複数種類のものを混合して用いてもよい。
【００５０】
（組）
所定数のゴム紐２０１…を束ねることによって、図５に示すように組２１１…が形成される。組２１１としては、複数のゴム紐２０１…を束ねたのみでもよいし、これを捻る等してまとめてあってもよい。図５においては３本のゴム紐２０１…によって組２１１…が形成された場合につき図示したが、組２１１…を形成するゴム紐２０１…の数はこれに限られない。各組２１１…を形成するゴム紐２０１…は、全て同じ太さであってもよいし、異なる太さの複数種類のゴム紐２０１…が混合されていてもよい。
【００５１】
耳ゴム２００は、図５に示すように、複数の組２１１…を所謂三つ編みの要領で編み込むことで、各組２１１…が、耳ゴム２００の長さ方向に対して斜めに配置され、かつ、各組２１１…が一組ずつ交差するように編み込まれる。また、耳ゴム２００は、全てのゴム紐２０１…が耳ゴム２００の長さ方向の全体に亘って延在するように形成される。また、これによって、組２１１…を形成するゴム紐２０１…が、耳ゴム２００の長さ方向に対して斜めに配置されるように編み込まれることとなる。
【００５２】
具体的には、組２１１…は、１〜４本のゴム紐２０１…によって形成され、このような組２１１…を３〜１５組で編み込むことによって耳ゴム２００が形成されることが望ましい。
また、耳ゴム２００は、幅５〜７ｍｍ程度の扁平な帯状に形成されることが望ましい。
【００５３】
なお、耳ゴム２００は、上記のようにゴム紐２０１…のみによって形成されていてもよいが、図６に示すように、ゴム紐２０１…の周囲をポリエステル等の繊維状部材２０２…で巻いた上で、これを編み込んでもよい。この場合、耳ゴム２００の質感を柔らかいものとすることができ、より装着感を向上させることができる。また、ゴム紐２０１…の周囲を巻く繊維状部材２０２…としては、ポリエステルの他にナイロン等を用いることもできる。また、捲縮された繊維を用いると、よりふんわりとした柔らかい質感とすることができる。
【００５４】
［製造方法の説明］
（１）  例えば、被服用の紐を製造する製紐器のボビンに糸の代わりにゴム紐２０１を巻き、それを編み込むことで耳ゴム２００を形成する。
（２）  外面側不織布１１１の所定の位置にミシン目を形成し、上部破断部１１１１ａ及び下部破断部１１１２ａを形成する。
（３）  肌から最も遠い面から順に、外面側不織布１１１、フィルター１１２、着用者側不織布１１３の順でシート材を重ね、フィルター１１２と、着用者側不織布１１３との間の所定の位置に、鼻部補強部材１２及び口部補強部材１３を配置する。
（４）  外面側不織布１１１、フィルター１１２及び着用者側不織布１１３を、鼻部補強部材１２の上下及び左右において熱・超音波等を用いて前後に溶着させ、鼻部補強部材周辺接続部１１ｅを形成する。また、フィルター１１２と着用者側不織布１１３とを、口部補強部材１３の上下及び左右において熱・超音波等を用いて前後に溶着させ、口部補強部材周辺接続部１１ｆを形成する。
（５）  重ねられたシート材を、上部プリーツ１１ｉ及び下部プリーツ１１ｊ、１１ｊが形成されるように折り畳む。
（６）  着用者側不織布１１３の所定の位置にシート片１１４…を取り付ける。
（７）  外面側不織布１１１の上下を、着用者側不織布１１３側へと折り返し、上部折り返し部１１１１及び下部折り返し部１１１２を形成する。
（８）  折り畳まれたシート材の上下及び左右の端部付近、上部折り返し部１１１１の下端部付近、下部折り返し部１１１２の上端部付近を、熱・超音波等を用いて前後に溶着させ、上端部接続部１１ａ、下端部接続部１１ｂ、右端部接続部１１ｃ、左端部接続部１１ｄ、上部折り返し部接続部１１ｇ及び下部折り返し部接続部１１ｈを形成する。
（９）  耳ゴム２００の両端部を、シート材の右端部の上下に熱・超音波等を用いて溶着させ右耳掛け部２を形成し、耳ゴム２００の両端部を、シート材の左端部の上下に熱・超音波等を用いて溶着させ左耳掛け部３を形成する。
【００５５】
［使用方法の説明］
マスク１００の使用時、着用者は、シート片１１４…の効果を発揮させたい場合には、上部破断部１１１１ａ及び下部破断部１１１２ａをミシン目で切り離して剥がすことによって、シート片１１４…を露出させる。この際、上部破断部１１１１ａ及び下部破断部１１１２ａを全て剥がさずに、一部のみ剥がすようにすることによって、シート片１１４…が露出する範囲を調整することができる。
また、着用者は、シート片１１４…の効果を発揮させたくない場合には、上部破断部１１１１ａ及び下部破断部１１１２ａをミシン目で切り離して剥がすことなく、そのまま使用することとなる。
続いて着用者は、シート部１１の着用者側不織布１１３側の面を肌に向けて、マスク本体部１を顔面に密着させた後、右耳掛け部２を右耳に、左耳掛け部３を左耳に掛ける。
【００５６】
［効果の説明］
本実施形態に係るマスク１００によれば、所定の性質が付与されたシート片１１４…が、着用者側不織布１１３の内面側の上下に備えられ、上部折り返し部１１１１又は下部折り返し部１１１２によって覆われている。
これによって、着用者はシート片１１４…の効果が不要な場合には、上部破断部１１１１ａ及び下部破断部１１１２ａを剥がさずに、シート片１１４…が露出しない状態で用いることができ、シート片１１４…の効果が必要な場合には、上部破断部１１１１ａ及び下部破断部１１１２ａを剥がし、シート片１１４を露出させた状態で用いることができる。
また、上部破断部１１１１ａ又は下部破断部１１１２ａのいずれか一方のみを剥がして用いることも、上部破断部１１１１ａ及び／又は下部破断部１１１２ａにつき、一部のみ部分的に剥がして、シート片１１４…の一部のみを露出させて使用することもできる。
したがって、着用者は、シート片１１４…によって生じる機能を自在に調整することができる。
【００５７】
着用者が調整可能なシート片１１４…によって生じる機能としては、例えば肌触りの滑らかさ、保湿効果、ずれ難さ等が挙げられる。
例えば、シート片１１４…としてシルク配合ポリプロピレンスパンボンド等の摩擦係数の平均偏差（ＭＭＤ）がＭＤ方向において０．１以下の滑らかな不織布を使用した場合、これをどれだけ露出させるかにより、肌触りの滑らかさを調整することが可能となる。
また、シート片１１４…として、グリセリン等の多価アルコールやリン酸エステル等の保湿剤を塗布した不織布を使用した場合、マスクに付与される保湿効果を調整することが可能となる。
また、シート片１１４…として、シリコンや接着剤等の滑り止め材を塗布した不織布を使用した場合、マスクのずれ難さを調整することが可能となる。
【００５８】
また、シート片１１４…が、着用者の肌に接することの多いシート部１１の上下の部分に備えられていることによって、上部破断部１１１１ａ及び／又は下部破断部１１１２ａを剥がした際にシート片１１４…によって生じる所定の効果を高めることができる。さらに、シート片１１４…がシート部１１の中央部付近には備えられていないため、フィルター機能や通気性といったマスクの基本的な機能が阻害されることもない。
【００５９】
また、シート片１１４…が備えられる範囲は、シート部１１の上端部付近及び下端部付近のみに限定されることから、例えば所定の性質が付与されたシート材を着用者側不織布１１３の全面に使用した場合と比較して、その使用量を抑えることができ、生産コストの面でも望ましい。
【００６０】
また、シート部１１の上端及び下端に、外面側不織布１１１が前面側から後面側へと回り込むように備えられることから、シート部１１の上端及び下端において、各シート材の端部が露出することがなくなり、シート材の端部がほつれてしまうことを防止することができる。
【００６１】
また、上部破断部１１１１ａ又は下部破断部１１１２ａの周囲にはミシン目が形成されていることから、これを容易に剥がすことができる。
【００６２】
［変形例］
以下、上記実施形態の変形例について説明する。なお、上記実施形態に係るマスク１００と同様の部分については、説明を省略する。
【００６３】
｛変形例１｝
図７に示すマスク１００Ａのように、着用者側不織布１１３の右端部付近及び左端部付近にもシート片１１４…を取り付け、これを覆う右折り返し部１１１３及び左折り返し部１１１４を備えてもよい。
【００６４】
（構成の説明）
まず、シート片１１４は、図７に示すように、着用者側不織布１１３の着用者側の面の上端部付近及び下端部付近に加え、右端部付近及び左端部付近にも備えられる。
また、外面側不織布１１１として、左右方向にもフィルター１１２及び着用者側不織布１１３よりも大型の不織布を用いて、これをシート部１１の右端部及び左端部において、着用者側不織布１１３側に折り返すことで、図７に示すように、着用者側不織布１１３の右端部付近に備えられたシート片１１４…を覆う右折り返し部１１１３及び着用者側不織布１１３の左端部付近に備えられたシート片１１４…を覆う左折り返し部１１１４が形成されている。なお、右折り返し部１１１３及び左折り返し部１１１４は、上部折り返し部１１１１及び下部折り返し部１１１２の左右の端部と重なり、これらを含めて折り返すように形成されている。
右折り返し部１１１３及び左折り返し部１１１４は、左右方向に5ｍｍから15ｍｍ、好ましくは8ｍｍから12ｍｍの幅を有するように形成される。
【００６５】
右折り返し部１１１３の左端部付近においては、図７に示すように、シート部１１の上端部から下端部に亘って、外面側不織布１１１、フィルター１１２及び着用者側不織布１１３が、右折り返し部１１１３に加え、上下の端部付近においては、上部折り返し部１１１１又は下部折り返し部１１１２を含めて、シート部１１の最前面から最後面まですべてのシート材が溶着され、右折り返し部接続部１１ｋが形成されている。
左折り返し部１１１４の右端部付近においては、図７に示すように、シート部１１の上端部から下端部に亘って、外面側不織布１１１、フィルター１１２及び着用者側不織布１１３が、左折り返し部１１１４に加え、上下の端部付近においては、上部折り返し部１１１１又は下部折り返し部１１１２を含めて、シート部１１の最前面から最後面まですべてのシート材が溶着され、左折り返し部接続部１１ｌが形成されている。
【００６６】
また、この場合、図７に示すように、上端部接続部１１ａ、下端部接続部１１ｂ、右端部接続部１１ｃ、左端部接続部１１ｄも、上部折り返し部１１１１及び下部折り返し部１１１２に加え、右折り返し部１１１３及び左折り返し部１１１４も含めて溶着され、シート部１１の最前面から最後面まですべてのシート材を溶着させて形成されている。
これに対し、上部折り返し部接続部１１ｇ及び下部折り返し部接続部１１ｈは、右折り返し部１１１３及び左折り返し部１１１４を溶着しないように形成されている。
【００６７】
右折り返し部１１１３には、図７に示すように、上端部接続部１１ａの下側、右端部接続部１１ｃの左側、下端部接続部１１ｂの上側及び右折り返し部接続部１１ｋの右側に、これらの接続部に沿ってミシン目が設けられ、ミシン目に沿って切り離すことができる右破断部１１１３ａが形成されている。
また、左折り返し部１１１４には、図７に示すように、上端部接続部１１ａの下側、左端部接続部１１ｄの右側、下端部接続部１１ｂの上側及び左折り返し部接続部１１ｌの左側に、これらの接続部に沿ってミシン目が設けられ、ミシン目に沿って切り離すことができる左破断部１１１４ａが形成されている。
【００６８】
この場合、上部破断部１１１１ａは、図７に示すように、上部折り返し部１１１１の右折り返し部１１１３又は左折り返し部１１１４によって覆われていない部分に形成され、シート片１１４…も、上部破断部１１１１ａと重なる位置に取り付けられている。
また、下部破断部１１１２ａは、図７に示すように、下部折り返し部１１１２の右折り返し部１１１３又は左折り返し部１１１４によって覆われていない部分い形成され、シート片１１４…も、下部破断部１１１２ａと重なる位置に取り付けられている。
【００６９】
なお、シート片１１４…をシート部１１の上部及び下部に備えず、左右にのみ備えるようにすることも可能である。この場合、上部折り返し部１１１１及び下部折り返し部１１１２を形成せず、右折り返し部１１１３及び左折り返し部１１１４のみを形成すればよい。
【００７０】
（製造方法の説明）
マスク１００Ａの製造時においては、外面側不織布１１１の上下を、シート部１１の上端部付近及び下端部付近に備えられたシート片１１４…を覆うように、着用者側不織布１１３側へと折り返し、上部折り返し部１１１１及び下部折り返し部１１１２を形成した後、上部折り返し部接続部１１ｇ及び下部折り返し部接続部１１ｈを形成する。
続いて、外面側不織布の左右の所定の位置にミシン目を形成し、右破断部１１１３ａ及び左破断部１１１４ａを形成する。
続いて、シート部１１の左端部付近及び右端部付近の所定の位置に、シート片１１４…を取り付けた後、外面側不織布１１１の左右を、右端部付近及び左端部付近に備えられたシート片１１４…を覆うように、着用者側不織布１１３側へと折り返し、右折り返し部１１１３及び左折り返し部１１１４を形成する。
続いて、シート材の上下及び左右の端部付近、右折り返し部１１１３の左端部付近、左折り返し部１１１４の右端部付近を、熱・超音波等を用いて前後に溶着させ、上端部接続部１１ａ、下端部接続部１１ｂ、右端部接続部１１ｃ、左端部接続部１１ｄ、右折り返し部接続部１１ｋ及び左折り返し部接続部１１ｌを形成する。
その他の工程は、上記のマスク１００の製造方法と同様である。
【００７１】
（効果の説明）
本変形例によれば、着用者の肌に接することの多いシート部１１の左右の部分にもシート片１１４…備えられていることによって、折り返し部を剥がした際にシート片１１４…の性質に応じて付与される所定の機能をさらに高めることができる。
【００７２】
｛変形例２｝
シート片１１４…は、全て同じものである必要はなく、例えば、上部折り返し部１１１１に覆われた部分に取り付けられるものと、下部折り返し部１１１２に覆われた部分に取り付けられるものと、を異なる性質の不織布としてもよい。
これによって、複数の機能をマスクに付与することが可能となる。例えば、上部折り返し部１１１１に覆われた部分のシート片１１４…としてシリコンや接着剤等の滑り止め材を塗布した不織布を使用し、下部折り返し部１１１２に覆われた部分のシート片１１４…として、グリセリン等の多価アルコールやリン酸エステル等の保湿剤を塗布した不織布を使用した場合、マスクをずれ難くする効果及び保湿効果を付与することができ、これを着用者が任意に調整しながら用いることが可能となる。
また、変形例１のようにシート部１１の左右にも、シート片１１４…が取り付けられる場合には、上部折り返し部１１１１に覆われた部分に取り付けられるものと、下部折り返し部１１１２に覆われた部分に取り付けられるものと、右折り返し部１１１３に覆われた部分に付けられるものと、左折り返し部１１１４に覆われた部分に取り付けられるものと、を異なる性質の不織布としてもよい。
【００７３】
｛変形例３｝
外面側不織布１１１の上部折り返し部１１１１及び下部折り返し部１１１２を形成する部分を、例えば、シルク配合ポリプロピレンスパンボンド等の摩擦係数の平均偏差（ＭＭＤ）がＭＤ方向において０．１以下の滑らかな不織布、グリセリン等の多価アルコールやリン酸エステル等の保湿剤が塗布された不織布、又はシリコンや接着剤等の滑り止め材が塗布された不織布等の、着用者側を向く面に所定の機能が付与された不織布を用いて形成してもよい。
【００７４】
これによって、上部破断部１１１１ａ及び下部破断部１１１２ａを剥がさずに使用した場合には、上部折り返し部１１１１及び下部折り返し部１１１２に付与された効果が生じる一方、シート片１１４…の効果は生じない。これに対して、上部破断部１１１１ａ及び下部破断部１１１２ａを剥がして使用した場合には、上部折り返し部１１１１及び下部折り返し部１１１２に付与された効果はほとんど消滅する一方、シート片１１４…の効果が生じることとなる。また、上部破断部１１１１ａ及び／又は下部破断部１１１２ａを部分的に剥がせば、両者の効果を得ることが可能となる。
したがって、上部破断部１１１１ａ及び下部破断部１１１２ａを剥がして使用するか否かによって、複数の機能を任意に調整しながら使用することが可能となる。
【００７５】
また、変形例２のように、上部折り返し部１１１１に覆われた部分に取り付けられるシート片１１４…と、下部折り返し部１１１２に覆われた部分に取り付けられるシート片１１４…とを異なる性質のものとしておけば、上部破断部１１１１ａを剥がすか、下部破断部１１１２ａを剥がすか、いずれも剥がさないかによって機能を変えることが可能となり、さらに多数の機能を使い分けることが可能となる。
【００７６】
例えば、上部折り返し部１１１１及び下部折り返し部１１１２をシルク配合ポリプロピレンスパンボンド等の摩擦係数の平均偏差（ＭＭＤ）がＭＤ方向において０．１以下の滑らかな不織布で形成し、上部折り返し部１１１１に覆われた部分のシート片１１４…をシリコンや接着剤等の滑り止め材を塗布した不織布で形成し、下部折り返し部１１１２に覆われた部分のシート片１１４…をグリセリン等の多価アルコールやリン酸エステル等の保湿剤を塗布した不織布で形成すれば、上部破断部１１１１ａ及び下部破断部１１１２ａを剥がさずに使用した場合滑らかな肌触りで使用でき、上部破断部１１１１ａを剥がして使用した場合には滑り止め材の効果を得ることができ、下部破断部１１１２ａを剥がして使用した場合には保湿剤の効果を得ることができる。
【符号の説明】
【００７７】
１００、１００Ａ  マスク
１  マスク本体部
１１  シート部
１１１  外面側不織布（シート材）
１１１１  上部折り返し部
１１１１ａ  上部破断部
１１１２  下部折り返し部
１１１２ａ  下部破断部
１１１３  右折り返し部
１１１３ａ  右破断部
１１１４  左折り返し部
１１１４ａ  左破断部
１１２  フィルター（シート材）
１１３  着用者不織布（シート材、着用者側シート材）
１１４  シート片
２  右耳掛け部（耳掛け部）
３  左耳掛け部（耳掛け部）
【図１】
2019060058.tif 000003
【図２】
2019060058.tif 000004
【図３】
2019060058.tif 000005
【図４】
2019060058.tif 000006
【図５】
2019060058.tif 000007
【図６】
2019060058.tif 000008
【図７】
2019060058.tif 000009